(57)【特許請求の範囲】
【請求項１】
本体建造物とは別の三本の柱を備えて成り、水平断面において三本の前記柱が三角形の頂点を成し、前記本体建造物に結合される建物付属構造物を用いた建物付属構造物の外周養生装置であって、
先行建方した前記本体建造物のコア部に装着され、水平断面において第１の柱と第２の柱とに亘って配置され、上下方向に建方された建物付属構造物の上方の先端から延長して形成される第１外周養生ユニット、
前記本体建造物のコア部と、先行建方したコア部に隣接して前記コア部とは別に構成される本体鉄骨とに装着され、水平断面において前記第１の柱と第３の柱とに亘って配置され、上下方向に建方された建物付属構造物の外周を取り囲む第２外周養生ユニット
及び前記本体鉄骨に装着され、水平断面において前記第２の柱と前記第３の柱とに亘って配置され、上下方向に建方された建物付属構造物の外周を取り囲む第３外周養生ユニット
から構成される建物付属構造物の外周養生装置。
【請求項２】
各外周養生ユニットが、複数段のマルチトラスを装備していることを特徴とする請求項1に記載の建物付属構造物の外周養生装置。
【請求項３】
各外周養生ユニットが、外周を取り囲む建物付属構造物の上端の下方に作業エリアを形成する作業床を配置することを特徴とする請求項１又は２に記載の建物付属構造物の外周養生装置。
【請求項４】
各外周養生ユニットが、該作業床の上部に建物付属構造物の建方と溶接作業エリアを形成し、該作業床の下部に建物付属構造物の塗装作業エリアを形成することを特徴とする請求項１乃至３のいずれかに記載の建物付属構造物の外周養生装置。
【請求項５】
第２、３の各外周養生ユニットが、該作業床の上部に溶射作業エリアを形成することを特徴とする請求項１乃至４のいずれかに記載の建物付属構造物の外周養生装置。
【請求項６】
先行建方した本体建造物のコア部に第１外周養生ユニットを装着し、前記本体建造物のコア部と、先行建方したコア部に隣接して前記コア部とは別に構成される本体鉄骨とに第２外周養生ユニットを装着すると共に、前記本体鉄骨に第３外周養生ユニットを装着することで上記請求項１乃至５のいずれかに記載の建物付属構造物の外周養生装置を装備して、該外周養生装置の作業床が形成された中間部と最下部に水平養生シートを布設し、しかる後に、本体鉄骨とこれに追随する建物付属構造物とを建方しながら該外周養生装置を盛り替える建物付属構造物の外周養生方法。
【請求項７】
該外周養生装置が装備された後に、建物付属構造物先端の直近マルチトラスに建物付属構造物の建方用足場を配置すると共に作業床が形成された中間部の下方に形成された複数のマルチトラスに塗装用足場を配置して、建物付属構造物の建方と柱脚部の溶接を施工すると同時に建方した建物付属構造物に塗装することを特徴とする請求項６に記載の建物付属構造物の外周養生方法。
【請求項８】
建物付属構造物の建方後に、建方された建物付属構造物の頂部に溶接専用コラムステージを装備すると共に作業床への溶射用足場と溶接された柱脚部に対する火花養生シートとを配置して、しかる後に、建物付属構造物の頂部を溶接しながら火花養生シートを施した範囲の建物付属構造物を溶射することを特徴とする請求項7に記載の建物付属構造物の外周養生方法。
【発明の詳細な説明】
【０００１】
【発明の属する技術分野】
本発明は、建物付属構造物の外周養生装置及び外周養生方法に関し、特に、本体建造物の建方進捗に制限を加えることなく、建物付属構造物への溶射、塗装作業時における風養生と塗料の飛散養生を容易に実施できる建物付属構造物の外周養生装置及び外周養生方法に関する。
【０００２】
【従来の技術】
従来から、超高層の建造物においては、建造物本体の構造体としてその一部を構成する鉄骨柱等の建物付属構造物を建物の外周部に一体的に配置する建造物が数多く構築されている。
【０００３】
図２０は、このような建造物の一例であり、建造物４０は建造物本体４１の四隅に構造体として建造物本体４１の一部を構成する鉄骨造組柱４２を付属的に構築している。
【０００４】
鉄骨造組柱４２は、図２１に正面図（ａ）と正面図（ａ）における矢視（Ｃ）−（Ｃ）の側面図（ｂ）を示し、図２２に図２１の正面図（ａ）における矢視（Ａ）−（Ａ）の断面図（ａ）及び矢視（Ｂ）−（Ｂ）の断面図（ｂ）として示すように構築されている。
【０００５】
即ち、鉄骨造組柱４２は、三本の柱４３、４４、４５とその間に所定の上下間隔で配置されている円柱梁４６、４７、４８及び柱４３、４４の間に渡されるアンボンドブレース４９から構築されており、建造物本体４１のコア部５０とコア部５０の外周を構成する本体鉄骨５１とに所定の間隔毎に結合されている。
【０００６】
鉄骨造組柱４２の施工は、通常通りの工法で行われているので、柱４３、４４、４５、円柱梁４６、４７、４８及びアンボンドブレース４９の溶接には、ユニット足場５２を製作しながら使用しており、柱４４、４５の内柱側では形状が複雑であることから、通常に用いられている鋼製足場（３Ｓ）５３を使用している。
【０００７】
これらの作業は、▲１▼足場防護工先行設置、▲２▼柱建方、▲３▼アンボンドブレース建方、▲４▼円柱梁取り付け、▲５▼形状調整と本締、▲６▼溶接、▲７▼亜鉛溶射、▲８▼塗装、▲９▼足場防護工撤去の順序で行われている。
【０００８】
しかして、鉄骨造組柱は、建造物本体の一部を構成していることから、上記の作業手順には、以下の施工条件が付加されることになる。
【０００９】
▲１▼  建造物本体の建方進捗に合わせて建方を行うことが必須になる。
▲２▼  外部に剥き出しのために美観的にも鉄骨の腐食処置が必要であることから、現場での溶接ヶ所に対する溶射作業が必須になる。
▲３▼  現場での最終補修塗装のために全面塗装が必要であり、溶射、塗装作業時における風養生と塗料の飛散養生が必要になる。
【００１０】
従って、鉄骨柱等の建物付属構造物を建物の外周部に一体的に配置する建造物においては、上記の作業手順とそれに付随する必要条件から、従来のように、地上からの総足場での対応と建造物本体の建方進捗に合わせての足場の上方盛り替えとを行うためには、次ぎのような問題点が発生する。
【００１１】
イ）  高層の建造物では、地上からの総足場では対処できない。
ロ）  足場材の量が多大になり、組払し手間が増大する。
ハ）  足場が残っていると、建造物本体の外壁取り付けができない。
ニ）  反復される鋼製足場の組払しは、手間と安全面においてコスト高になる。
【００１２】
【発明が解決しようとする課題】
本発明は、建物付属構造物を建物の外周部に一体的に配置する建造物における以上の問題点に鑑みてその解決のために提案するものであり、本体建造物の建方進捗に制限を加えずに一体の盛り替えが可能で建物付属構造物への溶射、塗装作業時における風養生と塗料の飛散養生を容易に実施できる建物付属構造物の外周養生装置及び外周養生方法を提供している。
【００１３】
【課題を解決するための手段】
請求項１に記載の発明である建物付属構造物の外周養生装置は、先行建方した前記本体建造物のコア部に装着され、水平断面において第１の柱と第２の柱とに亘って配置され、上下方向に建方された建物付属構造物の上方の先端から延長して形成される第１外周養生ユニットと、前記本体建造物のコア部と、先行建方したコア部に隣接して前記コア部とは別に構成される本体鉄骨とに装着され、水平断面において前記第１の柱と第３の柱とに亘って配置され、上下方向に建方された建物付属構造物の外周を取り囲む第２外周養生ユニット及び前記本体鉄骨に装着され、水平断面において前記第２の柱と前記第３の柱とに亘って配置され、上下方向に建方された建物付属構造物の外周を取り囲む第３外周養生ユニットから構成されており、本体建造物の建方進捗に制限を加えることなく、一体の盛り替えを可能にして建物付属構造物への溶射、塗装作業時における風養生と塗料の飛散養生を容易に実施している。
【００１４】
請求項２に記載の発明である建物付属構造物の外周養生装置は、請求項１に記載の建物付属構造物の外周養生装置において、各外周養生ユニットに、複数段のマルチトラスを装備することを特徴としており、上記機能に加えて、任意の作業エリアを形成する足場の配置を容易にしている。
【００１５】
請求項３に記載の発明である建物付属構造物の外周養生装置は、請求項１又は２に記載の建物付属構造物の外周養生装置において、各外周養生ユニットに、外周を取り囲む建物付属構造物の上端の下方に作業エリアを形成するための作業床を配置することを特徴としており、上記機能に加えて、建方、溶接作業エリアや溶射作業エリアと塗装作業エリアの形成を容易にしている。
【００１６】
請求項４に記載の発明である建物付属構造物の外周養生装置は、請求項１乃至３のいずれかに記載の建物付属構造物の外周養生装置において、各外周養生ユニットを、作業床の上部に建物付属構造物の建方と溶接作業エリアを形成し、作業床の下部に建物付属構造物の塗装作業エリアを形成することを特徴としており、上記機能に加えて、溶射、塗装作業時における風養生と塗料の飛散養生の実施を容易にしている。
【００１７】
請求項５に記載の発明である建物付属構造物の外周養生装置は、請求項１乃至４のいずれかに記載の建物付属構造物の外周養生装置において、第２、３の各外周養生ユニットに、作業床の上部に溶射作業エリアを形成することを特徴としており、上記機能に加えて、現場での溶接ヶ所に対する溶射作業の実施を可能にしている。
【００１８】
請求項６に記載の発明である建物付属構造物の外周養生方法は、先行建方した本体建造物のコア部に第１外周養生ユニットを装着し、前記本体建造物のコア部と、先行建方したコア部に隣接して前記コア部とは別に構成される本体鉄骨とに第２外周養生ユニットを装着すると共に、前記コア部外周を構成する本体鉄骨に第３外周養生ユニットを装着することで上記請求項１乃至５のいずれかに記載の建物付属構造物の外周養生装置を装備して、外周養生装置の作業床が形成された中間部と最下部に水平養生シートを布設し、しかる後に、本体鉄骨とこれに追随する建物付属構造物とを建方しながら外周養生装置を盛り替えており、本体建造物の建方進捗に制限を加えることなく、建物付属構造物への溶射、塗装作業時における風養生と塗料の飛散養生を容易にして建物付属構造物を削減されたコストで施工可能にしている。
【００１９】
請求項７に記載の発明である建物付属構造物の外周養生方法は、請求項６に記載の建物付属構造物の外周養生方法において、外周養生装置が装備された後に、建物付属構造物先端の直近マルチトラスに建物付属構造物の建方用足場を配置すると共に作業床が形成された中間部の下方に形成された複数のマルチトラスに塗装用足場を配置して、建物付属構造物の建方と柱脚部の溶接を施工すると同時に建方した建物付属構造物に塗装することを特徴としており、上記機能に加えて、建方、溶接作業や溶射作業と塗装作業を容易に実施している。
【００２０】
請求項８に記載の発明である建物付属構造物の外周養生方法は、請求項７に記載の建物付属構造物の外周養生方法において、建物付属構造物の建方後に、建方された建物付属構造物の頂部に溶接専用コラムステージを装備すると共に作業床への溶射用足場と溶接された柱脚部に対する火花養生シートとを配置して、しかる後に、建物付属構造物の頂部を溶接しながら火花養生シートを施した範囲の建物付属構造物を溶射することを特徴としており、上記機能に加えて、建物付属構造物の頂部の溶接作業を容易にすると共に柱脚部への溶射作業における風養生を容易に実施している。
【００２１】
【発明の実施の形態】
本発明による建物付属構造物の外周養生装置は、基本的に、先行建方した前記本体建造物のコア部に装着され、水平断面において第１の柱と第２の柱とに亘って配置され、上下方向に建方された建物付属構造物の上方の先端から延長して形成される第１外周養生ユニットと、前記本体建造物のコア部と、先行建方したコア部に隣接して前記コア部とは別に構成される本体鉄骨とに装着され、水平断面において前記第１の柱と第３の柱とに亘って配置され、上下方向に建方された建物付属構造物の外周を取り囲む第２外周養生ユニット及び前記本体鉄骨に装着され、水平断面において前記第２の柱と前記第３の柱とに亘って配置され、上下方向に建方された建物付属構造物の外周を取り囲む第３外周養生ユニットから構成されており、これによって、外周養生装置の一体的な盛り替えを可能にして本体建造物の建方進捗に制限を加えないと共に、建物付属構造物に対する溶射、塗装作業時における風養生と塗料の飛散養生の実施を容易にしている。
以下に、本発明の実施の形態を、図面に基づいて詳細に説明する。
【００２２】
図１〜３は、建物付属構造物として鉄骨造組柱を構築した場合における外周養生装置の実施の形態であって、外周養生装置を建造物本体のコア部とコア部の外周を構成する本体鉄骨とに装着している状態を示しており、図１は、外周養生装置の正面図、図２は、平面図であり、図３は、コア部の外周を構成する本体鉄骨側から見た側面図である。
【００２３】
図示のように、外周養生装置１は、建方後の鉄骨造組柱５の外周を取り囲むように配置された第１〜３外周養生ユニット２、３、４から構成されている。
【００２４】
本実施の形態における第１外周養生ユニット２は、４階迄建方された鉄骨造組柱５から６階迄の上方に亘って建方される、柱のみを部分的に例示している鉄骨造組柱５’に対応できる高さを以て構成され、鉄骨造組柱５の裏面に沿って配置されて建方された建造物本体のコア部６に結合して装着されている。
【００２５】
一方、第２外周養生ユニット３は、４階迄建方された鉄骨造組柱５の高さで鉄骨造組柱５の外周を取り囲んだ状態で配置されており、建方された建造物本体のコア部６とコア部６の外周を構成する本体鉄骨７とに結合して装着されている。
【００２６】
第３外周養生ユニット４は、同様に、４階迄建方された鉄骨造組柱５の高さで鉄骨造組柱５の側面に沿って配置されており、建方された建造物本体の外周を構成している本体鉄骨７に結合して装着されている。
【００２７】
第１〜３の各外周養生ユニット２、３、４は、複数段のマルチトラスを装備している。
【００２８】
本実施の形態では、第１外周養生ユニット２は、１８段の比較的狭い幅のマルチトラス８を有しており、第２外周養生ユニット３は、１２段の広い幅のマルチトラス９を装備して、第３外周養生ユニット４は、第１外周養生ユニット２のマルチトラス８と同様のマルチトラス１０を第２外周養生ユニット３と同様に１２段装備している。
【００２９】
第１〜３外周養生ユニット２、３、４から構成されている外周養生装置１は、４階迄建方された鉄骨造組柱５の先端から下方の３階の高さに位置するマルチトラスに作業床１１を構成しており、作業床１１と最下段のマルチトラスには水平養生シート１２、１２を布設することで、それぞれの作業エリアに対応させて、墜落、飛来落下の防止とサンダー屑もしくは塗料の飛散防止に対処している。
【００３０】
そして、第１〜３外周養生ユニット２、３、４の外周は、メッシュシート１３を布設することによって養生されており、第１外周養生ユニット２における作業床１１の上部を、継続して建方する鉄骨造組柱５’の建方と溶接作業エリア１４に構成すると共に、第１〜３外周養生ユニット２、３、４おける作業床１１の下部を、塗装作業エリア１５として構成している。
【００３１】
又、第２、３外周養生ユニット３、４における作業床１１の上部は、第１外周養生ユニット２と共に鉄骨造組柱５’の建方と溶接作業エリア１４として構成すると同時に、溶射作業エリア１６を構成しており、鉄骨造組柱５’における建方時の柱脚部やアンボンドブレース等における溶接及び溶接後における塗装作業前の溶射作業に対して充分な養生を施している。
【００３２】
図４は、鉄骨造組柱に適用する外周養生装置の足場ユニットであり、第２足場ユニットを省略した正面図（ａ）と第１足場ユニットを主に示した側面図（ｂ）である。
【００３３】
建方された鉄骨造組柱５の裏面には、建方された建造物本体のコア部６に装着された第１足場ユニット２−１が配置されている。
【００３４】
第１足場ユニット２−１は、６階迄建方された鉄骨造組柱５から９階迄の上方に亘って建方される鉄骨造組柱５’に対応できるように、３階の上方から９階迄に到る高さの後述するマルチトラス８を２段おきに接合する水平荷重受垂直ビーム２−２と、水平荷重受垂直ビームを支持する構造物体のコア部６のスラブ鉄骨梁に接合された水平荷重受ビーム２−３とから構成されており、最上部の支持用水平ビーム２−４によって建方された建造物本体のコア部６のスラブ鉄骨梁に鉛直荷重を支持する形で装着されている。
【００３５】
第３足場ユニット４−１は、３階の上方から建方された鉄骨造組柱５の先端に到る６階迄の高さに、第１足場ユニット２−１と同様の各ビームによって構成されており、中間部に配置の水平荷重受ビーム４−３と上端に配置する支持用水平ビーム４−４によってコア部６の外周を構成する本体鉄骨７に装着されている。
【００３６】
第１足場ユニット２−１と第３足場ユニット４−１とには、それぞれに１８段と１２段の比較的狭い幅のマルチトラス８、１０が装備されている。
【００３７】
第１足場ユニット２−１には、建造物本体側への飛来落下を防止するために７段分の垂直ネット部分１７を布設して、建方と溶接作業エリア１４に対処すると共に、１１段分のメッシュシート１３を布設することで、溶射作業エリア１６と塗装作業エリア１５に対処しており、第３足場ユニット４−１にも、同様に１１段分のメッシュシート１３を布設することで、溶射作業エリア１６と塗装作業エリア１５に対処している。
【００３８】
図示のように、建方された鉄骨造組柱５の先端に反復して鉄骨造組柱５’を建方する場合には、柱１８に次いでアンボンドブレース１９を建方してから梁２０を取り付けることになるが、この際には、通常の施工法に従って任意のマルチトラス８にアンボンドブレース用の跳ね出しステージを設置したり、柱１８や梁２０に対して適当な足場２１〜２４を配置している。
【００３９】
図５は、図４において第１足場ユニットの先端から（５）−（５）矢視した平面図であり、各足場の配置状態を平面図（ａ）及び各矢視の側面図（ｂ）〜（ｅ）で示している。
【００４０】
図５（ａ）は、各足場の配置状態を示す平面図であって、各足場の配置状態を示している。
【００４１】
第１足場ユニット２−１は、建方された建造物本体のコア部６に装着されて、反復して鉄骨造組柱５’を建方するために配置されており、第１足場ユニット２−１の存在の下に、建方された鉄骨造組柱５の上に建方された、柱１８、図示しないアンボンドブレース１９及び梁２０を建方するために、足場２１〜２５を柱１８及び梁２０に配置している。
【００４２】
足場２１〜２５は、コラムステージ等の通常のものであって図５（ｂ）〜（ｅ）にその側面図を示している。図５（ｂ）には、図５（ａ）における（Ａ）−（Ａ）矢視での足場２５を示しており、図５（ｃ）では、図５（ａ）における（Ｂ）−（Ｂ）矢視での足場２１を示し、図５（ｄ）には、図５（ａ）における（Ｃ）−（Ｃ）矢視の足場２２を示して、図５（ｅ）には、図５（ａ）における（Ｄ）−（Ｄ）矢視の第１足場ユニット２−１と梁２０に対する足場２４とその間に渡された足場板を示している。
【００４３】
これらの足場を用いた鉄骨造組柱５’の建方は、通常の施工法であり、本発明による外周養生装置を用いながら、鉄骨造組柱５’における形状の調整、本締め及び溶接と行われる一連の施工を容易にして、建造物本体側への飛来落下を防止しながら安全な実施を可能にしている。
【００４４】
図６は、図４において（６）−（６）矢視した平面図であり、第１〜３足場ユニットの配置状態を示している。
【００４５】
図示のように、第１足場ユニット２−１は、支持用水平ビーム２−４によって建方された建造物本体のコア部６のスラブ鉄骨梁に装着されており、第３足場ユニット４−１は、支持用水平ビーム４−４によって建方された建造物本体のコア部６の外周を構成する本体鉄骨７に結合されている。
【００４６】
又、第２足場ユニット３−１は、３階の上方から鉄骨造組柱５の先端に及ぶ６階迄の高さのマルチトラス８を２段おきにつなぎ材３−５で接合する水平荷重受垂直ビーム３−２と、上端部に配置する支持用水平ビーム３−４と、図示されていないが中間部に配置される水平荷重受ビーム３−３とから構成されている。
【００４７】
本実施の形態における第２足場ユニット３−１は、建方された鉄骨造組柱５を取り囲んでおり、上端に配置される支持用水平ビーム３−４と中間部に配置され第３足場ユニット４−１の水平荷重受ビーム４−３に相当する足場ユニットガイド用水平ビーム３−３とによって、その一端を建方された建造物本体のコア部６に結合すると共に、同様の構成によって他端を建造物本体のコア部６の外周に構成された本体鉄骨７に結合されている。
【００４８】
尚、足場ユニットガイド用水平ビーム３−３は図示されていないが、水平荷重受垂直ビーム３−２を包み込むような構造にして支持をしており、これによって、外周養生装置を盛り替えする毎に、水平荷重受垂直ビーム３−２３に対する位置が異なっても支障がないように構成されている。
【００４９】
図７は、鉄骨造組柱に適用する外周養生装置の足場状態を示しており、第２足場ユニットを省略した正面図（ａ）と第３足場ユニット側から示した側面図（ｂ）である。
【００５０】
新規に建方される鉄骨造組柱５’に対して、上図４、５で説明したように各足場２１〜２５が設置されると共に、足場２２には梁用跳ね出しステージ２６が配置され、アンボンドブレース用跳ね出しステージ２７が適宜に配置されている。
【００５１】
第１〜３足場ユニットで取り囲まれた空間には、図示のように連層足場ユニット２８、２９が配置されており、各マルチトラスに渡してはりわく３０、３１が取り付けられて、その下面には飛来落下養生３２が施されている。
【００５２】
そして、図８は、図７において第１〜３足場ユニットで取り囲まれた空間の上端から（８）−（８）矢視した平面図である。
【００５３】
図示のように、本実施の形態では、連層足場ユニット２８、２９とはりわく３０、３１に渡して、足場板３３〜３８が必要に応じて適宜に配置されており、風養生によって柱脚部の溶接作業や溶接後の溶射作業を容易にしている。
【００５４】
図９は、図７において第１〜３足場ユニットで取り囲まれた空間の６階から（９）−（９）矢視した平面図である。
【００５５】
図示のように、本実施の形態では、連層足場ユニット２８、２９とはりわく３０とが渡されており、風養生と塗料の飛散養生とによって塗装作業を容易にしている。
【００５６】
本発明による建物付属構造物の外周養生装置は、以上のように構成されているので、本体建造物の建方進捗に制限を加えることなく、一体の盛り替えを可能にして、建物付属構造物への溶射、塗装作業時における風養生と塗料の飛散養生を容易に実施している。
【００５７】
次に、本発明による建物付属構造物の外周養生方法について説明する。
本発明による建物付属構造物の外周養生方法は、基本的に、先行建方した本体鉄骨のコア部に第１外周養生ユニットを装着し、同様に本体鉄骨のコア部と先行建方したコア部外周を構成する本体鉄骨とに第２外周養生ユニットを装着すると共に、コア部外周を構成する本体鉄骨に第３外周養生ユニットを装着することで上記外周養生装置を装備して、外周養生装置の作業床が形成された中間部と最下部に水平養生シートを布設し、しかる後に、本体鉄骨とこれに追随する建物付属構造物とを建方しながら外周養生装置を盛り替えている。
以下に、本発明の実施の形態を、図面に基づいて詳細に説明する。
【００５８】
図１０〜１９は、建方された鉄骨造組柱の上に新規の鉄骨造組柱を繰り返して構築する各工程を示しており、建方された鉄骨造組柱には、上述した本発明による外周養生装置を装備している。
【００５９】
鉄骨造組柱５に装備された外周養生装置１の第１外周養生ユニット２には、建造物本体側への飛来落下を防止するために新規の鉄骨造組柱に対応できる垂直ネット部分１７を布設しており、新規の鉄骨造組柱に対する建方と溶接作業に対処している。
【００６０】
第１外周養生ユニット２の垂直ネット部分の下部と第２外周養生ユニット３及び第３外周養生ユニット４には、メッシュシート１３を布設することで、溶射作業と塗装作業に対処している。
【００６１】
図１０の工程では、鉄骨造組柱５に外周養生装置１を装備する状態を示している。外周養生装置１は、先行建方した本体鉄骨のコア部とコア部の外周に構成された本体鉄骨に結合されており、メッシュシート１３で囲まれた作業エリアでは塗装作業が行われている状況もあり得る。
【００６２】
又、この間に一節上の本体鉄骨が建方されており、新規の鉄骨造組柱５’が建方された後に、一節上の本体鉄骨に外周養生装置１を一体的に盛り返えるのを可能にしている。
【００６３】
図１１、１２の工程では、新規の鉄骨造組柱における一方の柱を建方する状態を示している。
【００６４】
図１１の工程では、鉄骨造組柱５の上に足場２５を取り付けた柱１８−１を結合しており、図１２の工程では、鉄骨造組柱５の上に足場２１を取り付けた柱１８−２を結合している。
【００６５】
次いで、梁２０−１が、足場２５と足場２１とによって図１３の工程に示すように柱１８／−１と柱１８−２との間に建方される。又、アンボンドブレース１９が、足場２１において柱１８−１に結合されて、図１４のように形成される。図１５、１６の工程では、新規の鉄骨造組柱における他方の柱を建方する状態を示している。
【００６６】
他方の柱は、図１５の工程に示す足場２３を取り付けた柱１８−３の建方と、図１６の工程に示す柱１８−３の上に建方される、足場２４を取り付けた柱１８−４の建方とによって構成されている。
【００６７】
尚、柱１８−４は、図示のように次工程における梁の建方及びさらに上方に構築される新規の鉄骨造組柱におけるアンボンドブレースを建方し易い形状に構成されている。
【００６８】
次いで行われる図１７、１８の工程は、新規の鉄骨造組柱における他の梁を建方する状態を示している。
【００６９】
図１７の工程では、先行建方した本体鉄骨のコア部に近い側の梁２０−２を柱１８−１と柱１８−４との間に建方しており、図１８の工程では、外方の梁２０−３を柱１８−２と柱１８−４との間に建方している。
【００７０】
以上の各工程が完了した後に行われる図１９の工程は、鉄骨の歪直しと溶接による接合作業の工程である。
【００７１】
これによって、新規の鉄骨造組柱５’の全ての建方が完了することから、外周養生装置１は、先行建方した本体鉄骨から解放されて一節上のすでに先行して建方されている本体鉄骨に向かって盛り替えされることになるが、この盛り替えは外周養生装置１にセルフクライミング機能を予め具備させておくことでも良いし、鉄骨建方用のタワークレーンで行っても良いものである。
【００７２】
以上のように、本発明による建物付属構造物の外周養生方法は構成されていることから、本体建造物の建方進捗に制限を加えることなく、建物付属構造物への溶射、塗装作業時における風養生と塗料の飛散養生を容易にして建物付属構造物を削減されたコストで施工可能にしている。
【００７３】
以上、本発明を実施の形態に基づいて詳細に説明してきたが、本発明による建物付属構造物の外周養生装置及び外周養生方法は、上記実施の形態に何ら限定されるものでなく、建物付属構造物の具体的な形態や建方手段及び外周養生装置の他の形態等において、本発明の趣旨を逸脱しない範囲において種々の変更が可能であることは当然のことである。
【００７４】
【発明の効果】
請求項１に記載の建物付属構造物の外周養生装置は、先行建方した前記本体建造物のコア部に装着され、水平断面において第１の柱と第２の柱とに亘って配置され、上下方向に建方された建物付属構造物の上方の先端から延長して形成される第１外周養生ユニットと、前記本体建造物のコア部と、先行建方したコア部に隣接して前記コア部とは別に構成される本体鉄骨とに装着され、水平断面において前記第１の柱と第３の柱とに亘って配置され、上下方向に建方された建物付属構造物の外周を取り囲む第２外周養生ユニット及び前記本体鉄骨に装着され、水平断面において前記第２の柱と前記第３の柱とに亘って配置され、上下方向に建方された建物付属構造物の外周を取り囲む第３外周養生ユニットから構成されているので、以下の効果を発揮している。
【００７５】
▲１▼  メッシュで覆われた作業空間を確保することができるので、溶射、塗装作業に風養生ができると共に、塗料の飛散を防止できる。
▲２▼  本体鉄骨の進捗と共に盛り替えができるので、本体建造物の外壁取り付けが可能になる。
▲３▼  建物付属構造物の内部足場は、外周養生装置を足掛かりにした在来工法で対応できる。
▲４▼  外周養生装置は構造的に充分な耐力を発揮するので、本体建造物の高層化に対応できる。
【００７６】
請求項２に記載の建物付属構造物の外周養生装置は、請求項１に記載の建物付属構造物の外周養生装置において、各外周養生ユニットに、複数段のマルチトラスを装備することを特徴としているので、上記効果に加えて、任意の作業エリアを形成する足場の配置を容易に実施できる効果を発揮している。
【００７７】
請求項３に記載の建物付属構造物の外周養生装置は、請求項１又は２に記載の建物付属構造物の外周養生装置において、各外周養生ユニットに、外周を取り囲む建物付属構造物の上端の下方に作業エリアを形成するための作業床を配置することを特徴としているので、上記効果に加えて、建方、溶接作業エリアや溶射作業エリアと塗装作業エリアの形成を容易に実施できる効果を発揮している。
【００７８】
請求項４に記載の発明である建物付属構造物の外周養生装置は、請求項１乃至３のいずれかに記載の建物付属構造物の外周養生装置において、各外周養生ユニットを、作業床の上部に建物付属構造物の建方と溶接作業エリアを形成し、作業床の下部に建物付属構造物の塗装作業エリアを形成することを特徴としているので、上記効果に加えて、溶射、塗装作業時における風養生と塗料の飛散養生の実施を容易に実施できる効果を発揮している。
【００７９】
請求項５に記載の建物付属構造物の外周養生装置は、請求項１乃至４のいずれかに記載の建物付属構造物の外周養生装置において、第２、３の各外周養生ユニットに、作業床の上部に溶射作業エリアを形成することを特徴としているので、上記効果に加えて、現場での溶接ヶ所に対する溶射作業の実施を可能にする効果を発揮している。
【００８０】
請求項６に記載の建物付属構造物の外周養生方法は、先行建方した本体建造物のコア部に第１外周養生ユニットを装着し、前記本体建造物のコア部と、先行建方したコア部に隣接して前記コア部とは別に構成される本体鉄骨とに第２外周養生ユニットを装着すると共に、前記コア部外周を構成する本体鉄骨に第３外周養生ユニットを装着することで上記請求項１乃至５のいずれかに記載の建物付属構造物の外周養生装置を装備して、外周養生装置の作業床が形成された中間部と最下部に水平養生シートを布設し、しかる後に、本体鉄骨とこれに追随する建物付属構造物とを建方しながら外周養生装置を盛り替えているので、以下の効果を発揮している。
【００８１】
▲１▼  本体建造物の建方進捗に制限を加えることがない。
▲２▼  建物付属構造物への溶射、塗装作業時において風養生と塗料の飛散養生を容易にしている。
▲３▼  建物付属構造物を削減された低コストで施工可能にしている。
【００８２】
請求項７に記載の建物付属構造物の外周養生方法は、請求項６に記載の建物付属構造物の外周養生方法において、外周養生装置が装備された後に、建物付属構造物先端の直近マルチトラスに建物付属構造物の建方用足場を配置すると共に作業床が形成された中間部の下方に形成された複数のマルチトラスに塗装用足場を配置して、建物付属構造物の建方と柱脚部の溶接を施工すると同時に建方した建物付属構造物に塗装することを特徴としているので、上記効果に加えて、建方、溶接作業や溶射作業と塗装作業を容易に実施する効果を発揮している。
【００８３】
請求項８に記載の建物付属構造物の外周養生方法は、請求項７に記載の建物付属構造物の外周養生方法において、建物付属構造物の建方後に、建方された建物付属構造物の頂部に溶接専用コラムステージを装備すると共に作業床への溶射用足場と溶接された柱脚部に対する火花養生シートとを配置して、しかる後に、建物付属構造物の頂部を溶接しながら火花養生シートを施した範囲の建物付属構造物を溶射することを特徴としているので、上記効果に加えて、建物付属構造物の頂部の溶接作業を容易にすると共に柱脚部への溶射作業における風養生を容易に実施できる効果を発揮している。
【図面の簡単な説明】
【  図１】本発明による建物付属構造物の外周養生装置における実施形態の正面図
【  図２】本発明による建物付属構造物の外周養生装置における実施形態の平面図
【  図３】本発明による建物付属構造物の外周養生装置における実施形態の側面図
【  図４】本発明による建物付属構造物の外周養生装置における足場ユニットの正面図（ａ）と側面図（ｂ）
【  図５】第１足場ユニットの図４を（５）−（５）矢視した足場ユニットの平面図（ａ）と側面図（ｂ）〜（ｅ）
【  図６】図４の足場ユニットを（６）−（６）矢視した第１〜３足場ユニットの平面図
【  図７】外周養生装置の足場状態であり、第２足場ユニットを省略した正面図（ａ）と第３足場ユニットからの側面図（ｂ）
【  図８】図７を（８）−（８）矢視した第１〜３足場ユニットの平面図
【  図９】図７を（９）−（９）矢視した第１〜３足場ユニットの平面図
【  図１０】本発明による建物付属構造物の外周養生方法における外周養生装置の装備工程図
【  図１１】本発明による建物付属構造物の外周養生方法における柱建方工程図
【  図１２】本発明による建物付属構造物の外周養生方法における他の柱建方工程図
【  図１３】本発明による建物付属構造物の外周養生方法における梁の建方工程図
【  図１４】本発明による建物付属構造物の外周養生方法におけるアンボンドブレースの建方工程図
【  図１５】本発明による建物付属構造物の外周養生方法における他方の柱建方工程図
【  図１６】本発明による建物付属構造物の外周養生方法における他方柱の次工程図
【  図１７】本発明による建物付属構造物の外周養生方法における他の梁の建方工程図
【  図１８】本発明による建物付属構造物の外周養生方法における残りの梁の建方工程図
【  図１９】本発明による建物付属構造物における最終の歪直しと溶接工程図
【  図２０】従来における鉄骨造組柱を備えた建造物の正面図（ａ）と平面図（ｂ）
【  図２１】従来建造物の鉄骨造組柱における外周養生装置の正面図（ａ）と正面図（ａ）を（Ｃ）−（Ｃ）矢視した側面図（ｂ）
【  図２２】従来の鉄骨造組柱を示す図２１における（Ａ）−（Ａ）矢視した平面図（ａ）と（Ｂ）−（Ｂ）矢視した平面図（ｂ）
【符号の説明】
１  外周養生装置、  ２、３、４  第１〜３外周養生ユニット、
２−１、３−１、４−１  第１〜３足場ユニット、
２−２、３−２、４−２  水平荷重受垂直ビーム、
２−３、３−３、４−３  水平荷重受ビーム、
２−４、３−４、４−４  支持用水平ビーム、
３−６  足場ユニットガイド用水平ビーム、  ５、５’  鉄骨造組柱、
６  コア部、  ７  本体鉄骨、  ８、９、１０  マルチトラス、
１１  作業床、  １２  水平養生シート、  １３  メッシュシート、
１４  建方と溶接作業エリア、  １５  塗装作業エリア、
１６  溶射作業エリア、  １７  垂直ネット部分、  １８  柱、
１８−１、１８−２、１８−３  柱、  １９  アンボンドブレース、
２０  梁、  ２０−１、２０−２、２０−３  梁、  ２１〜２５  足場、
２６  梁用跳ね出しステージ、  ２８、２９  連層足場ユニット、
２７  アンボンドブレース用跳ね出しステージ、  ３０、３１  はりわく、
３２  飛来落下養生、  ３３〜３８  足場板、  ４０  建造物、
４１  建造物本体、  ４２  鉄骨造組柱、  ４３〜４５  柱、
４６〜４８  円柱梁、  ４９  アンボンドブレース、  ５０  コア部、
５１  本体鉄骨、  ５２  ユニット足場、  ５３  鋼製足場（３Ｓ）、
【図１】
0003728661.tif 000002
【図２】
0003728661.tif 000003
【図３】
0003728661.tif 000004
【図４】
0003728661.tif 000005
【図５】
0003728661.tif 000006
【図６】
0003728661.tif 000007
【図７】
0003728661.tif 000008
【図８】
0003728661.tif 000009
【図９】
0003728661.tif 000010
【図１０】
0003728661.tif 000011
【図１１】
0003728661.tif 000012
【図１２】
0003728661.tif 000013
【図１３】
0003728661.tif 000014
【図１４】
0003728661.tif 000015
【図１５】
0003728661.tif 000016
【図１６】
0003728661.tif 000017
【図１７】
0003728661.tif 000018
【図１８】
0003728661.tif 000019
【図１９】
0003728661.tif 000020
【図２０】
0003728661.tif 000021
【図２１】
0003728661.tif 000022
【図２２】
0003728661.tif 000023